(57)【要約】【課題】        本発明は、特に印刷物の下地の地紋模様等に適する真偽判別可能な印刷物に関するものである。【解決手段】    基材（１）上に第１の領域（３）及び第２の領域（４）を有する印刷物において、複数の第１の画線（５）と、前記第１の画線（５）の間にそれぞれ配置された複数の第２の画線（６）とを備え、前記第１の領域（３）では、前記第１の画線（５）は所定の赤外線吸収特性を有するインキで印刷され、前記第２の領域（４）では、前記第１の領域（３）における前記第１の画線（５）とは異なる色相及び異なる赤外線吸収特性を有するインキで印刷され、前記第１の領域（３）及び前記第２の領域（４）における前記第２の画線（６）は、前記第２の領域（４）における前記第１の画線（５）とは異なる色相を有するインキで印刷されていることを特徴とする真偽判別可能な印刷物である。【選択図】      図３
2005153398.tif 000002
【特許請求の範囲】
【請求項１】
基材上に第１の領域及び第２の領域を有する印刷物において、
複数の第１の画線と、前記第１の画線の間にそれぞれ配置された複数の第２の画線とを備え、
前記第１の領域では、前記第１の画線は所定の赤外線吸収特性を有するインキで印刷され、前記第２の領域では、前記第１の領域における前記第１の画線とは異なる色相及び異なる赤外線吸収特性を有するインキで印刷され、
前記第１の領域及び前記第２の領域における前記第２の画線は、
前記第２の領域における前記第１の画線とは異なる色相を有するインキで印刷されていることを特徴とする真偽判別可能な印刷物。
【請求項２】
前記第１の領域の前記第１の画線は、無彩色のインキで印刷され、前記第２の領域における前記第１の画線は、有彩色のインキで印刷され、
前記第１の領域及び前記第２の領域における前記第２の画線は、前記第２の領域における前記第１の画線に用いられている前記有彩色のインキと、補色関係の色相を有するインキによって印刷されたことを特徴とする請求項１記載の真偽判別可能な印刷物。
【請求項３】
前記第１の領域と前記第２の領域の色差ΔＥが３以下であることを特徴とする請求項１又は２記載の真偽判別可能な印刷物。
【請求項４】
前記第２の領域における前記第１の画線が、紫外線を照射すると可視光で発光する蛍光顔料が含有されたインキで印刷されていることを特徴とする請求項１、２又は３記載の真偽判別可能な印刷物。
【請求項５】
前記第１の画線の画線幅及び前記第２の画線の画線幅が、２０μｍから３００μｍであることを特徴とする請求項１、２、３又は４記載の真偽判別可能な印刷物。
【発明の詳細な説明】
【技術分野】
【０００１】
本発明は、銀行券、株券、有価証券、通行券、パスポート、商品券、カード等の偽造、複写を防止する必要性のある貴重印刷物に適用され、特に印刷物の下地の地紋模様等に適する真偽判別可能な印刷物に関するものである。
【背景技術】
【０００２】
複数の画線によって形成される万線模様は、貴重印刷物の下地に形成されることが多く、万線模様を複雑な形状にすることによって、美術性に優れ、更に、複製しにくいことから偽造防止効果があることが知られている。また、基材にほぼ平坦なトーンを有する万線模様を設け、その万線模様の上に濃度の高いインキによる線画をオーバープリントした場合において、下地の万線模様はオーバープリントした線画全体のトーンを調整するために利用されている。
【０００３】
銀行券、株券、有価証券、通行券、商品券、カード等の貴重印刷物は、その性質上、偽造や改竄されないことが要求される。この防止策として、紫外線を照射時に可視光で発光する蛍光インキや、赤外線を吸収する材料を含有した赤外線吸収インキを用いることで、通常、可視光下では上記インキで印刷した領域は視認できず、紫外線や赤外線を照射することにより上記インキで印刷した領域が顕在化する技術が利用されている。
【０００４】
印刷領域が赤外吸収特性を有する印刷インキにより印刷された第１の印刷領域と、一般の印刷インキにより印刷された第２の印刷領域とから構成され、第１の印刷領域と第２の印刷領域の色調とが視覚的に判別困難である印刷物であり、第１の印刷領域の印刷インキが赤外吸収顔料を含有する印刷インキで印刷し、赤外線の反射により第１の印刷領域が顕像化することを特徴とした赤外吸収印刷物が開示されている（例えば、特許文献１参照）。
【特許文献１】特開昭６３−３０７９９６号公報参照（第１頁、第２図）
【０００５】
紫外線を照射して可視光で発光する蛍光インキを用いた偽造防止策として、可視光線以外の励起光を照射したときに可視光線を発光する１種または２種以上の蛍光インキで画像が印刷されており、励起光を照射したときに蛍光インキの発光によって肉眼で視認し得る印刷物であって、画像が形成される領域には蛍光インキが印刷されていない部分が設けられており、励起光を照射したときに該部分が黒色に見えることを特徴とする蛍光印刷物が開示されている（例えば、特許文献２参照）。
【特許文献２】特開平１０−２８７０３４号公報参照（第１頁）
【０００６】
更に、紫外線及び赤外線を照射することによりパターンが顕在化する偽造防止策として、紫外光の照射により励起されて可視光を発光する第一蛍光体と赤外光の照射により励起されて照射した上記赤外光とは波長の異なる赤外光を発する第二蛍光体を含有する情報パターンが、基材上に設けられていることを特徴とする情報担持シートが開示されている（例えば、特許文献３参照）。
【特許文献３】特開平０９−５２４７９号公報参照（第１頁、第１図）
【発明の開示】
【発明が解決しようとする課題】
【０００７】
しかしながら、特開昭６３−３０７９９６号、特開平１０−２８７０３４号公報、特開平０９−５２４７９号公報に開示された技術は、単に隠し模様等の隠蔽性を要求される印刷物に適用されるもので、近年では、蛍光インキ、赤外吸収インキを入手することが容易であるため複製される虞がある。よって、ある領域内に複数の偽造防止要素を盛り込み、偽造を困難にする必要性がある。更に、上記記載の公報では、地紋模様等の下地の印刷には不向きであった。特開昭６３−３０７９９６号公報は、第１の印刷領域の色調と第２の印刷領域の色調が視覚的に判別困難にする必要があるため、色合わせが必須であり、再現される色調に限りがあった。
【０００８】
本発明は前述した問題点を解決することを目的としたもので、特開昭６３−３０７９９６号公報のように第１の印刷領域の色調と第２の印刷領域の色調を色合せすることなく、地紋等の下地の印刷に有効であり、ある領域内に複数の偽造防止要素を盛り込むことが可能であり、複数の画線により画像を構成し、通常可視光下では第１の領域と第２の領域が肉眼で区分けして視認しづらく、赤外反射装置、フィルタを重ねること、又は紫外線ランプによって潜像画像が視認される真偽判別可能な印刷物を見出した。
【０００９】
更に、複数の画線によって形成される万線模様によって構成されているため地紋模様等の下地の印刷に適用可能であり、色彩においても限定されることなく、本発明の印刷上に濃度の高いインキによる線画をオーバープリントした場合において、下地の本発明の画線が、基調色の画線として利用でき、オーバープリントした線画全体のトーンを調整することにも利用でき、用いるインキに機能性顔料を含有することによって複写防止、真偽判別効果が得られる印刷物を見出した。本発明は、上記記載の真偽判別可能な印刷物を提案するものである。
【課題を解決するための手段】
【００１０】
本発明は、基材上に第１の領域及び第２の領域を有する印刷物において、複数の第１の画線と、前記第１の画線の間にそれぞれ配置された複数の第２の画線とを備え、前記第１の領域では、前記第１の画線は所定の赤外線吸収特性を有するインキで印刷され、前記第２の領域では、前記第１の領域における前記第１の画線とは異なる色相及び異なる赤外線吸収特性を有するインキで印刷され、前記第１の領域及び前記第２の領域における前記第２の画線は、前記第２の領域における前記第１の画線とは異なる色相を有するインキで印刷されていることを特徴とする真偽判別可能な印刷物である。
【００１１】
また、本発明は、前記第１の領域の前記第１の画線は、無彩色のインキで印刷され、前記第２の領域における前記第１の画線は、有彩色のインキで印刷され、前記第１の領域及び前記第２の領域における前記第２の画線は、前記第２の領域における前記第１の画線に用いられている前記有彩色のインキと、補色関係の色相を有するインキによって印刷されたことを特徴とする請求項１記載の真偽判別可能な印刷物である。
【００１２】
また、本発明は、前記第１の領域と前記第２の領域の色差ΔＥが３以下であることを特徴とする真偽判別可能な印刷物である。
【００１３】
また、本発明は、前記第２の領域における前記第１の画線が、紫外線を照射すると可視光で発光する蛍光顔料が含有されたインキで印刷されていることを特徴とする真偽判別可能な印刷物である。
【００１４】
また、本発明は、前記第１の画線の画線幅及び前記第２の画線の画線幅が、２０μｍから３００μｍであることを特徴とする真偽判別可能な印刷物である。
【発明の効果】
【００１５】
本発明は第１の領域の色調と第２の領域の色調を色合せすることなく、地紋等の下地の印刷に有効であり、ある領域内に複数の偽造防止要素を盛り込むことが可能であり、通常可視光下では第１の領域と第２の領域が肉眼で区分けして視認しづらく、赤外反射装置、フィルタを重ねること、又は紫外線ランプによって潜像画像が視認される真偽判別可能な印刷物である。よって、本発明は、銀行券、株券、有価証券、通行券、パスポート、商品券、カード等の偽造、複写を防止する必要性のある貴重印刷物に適用することが有効である。
【００１６】
更に、複数の画線によって形成される万線模様によって構成されているため地紋模様等の下地の印刷に適用可能であり、色彩においても限定されることなく、本発明の印刷上に濃度の高いインキによる線画をオーバープリントした場合において、下地の本発明の画線が、基調色の画線として利用でき、オーバープリントした線画全体のトーンを調整することにも利用でき、用いるインキに機能性顔料を含有することによって複写防止、真偽判別効果が得られる。
【発明を実施するための最良の形態】
【００１７】
本発明の実施の形態による真偽判別可能な印刷物について図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１８】
図１に基材（１）に複数の第１の画線（５）からなる万線模様を示す。万線模様は第１の領域（３）と第２の領域（４）に区分けされている。第１の領域（３）内の複数の第１の画線（５ａ）は、赤外吸収特性を有するインキで印刷し、第２の領域（４）内の複数の第１の画線（５ｂ）は、第１の領域（３）内の複数の第１の画線（５ａ）とは異なる色相及び赤外線吸収特性の異なるインキ（通常のインキで良い）で印刷される。図１では第１の領域はＰを表し、第２の領域はＰの背景部分を表す。図１に両者の境を点線で表す。図１では、第１の領域（３）内の複数の第１の画線（５ａ）と第２の領域（４）内の複数の第１の画線（５ｂ）は色相が異なっているため可視光下で、第１の領域（３）と第２の領域（４）が肉眼で区分けして視認される。
【００１９】
図２に本実施の形態による印刷物Ｐを示す。図１で示した、第１の領域（３）と第２の領域（４）が可視光下で肉眼で区分けして視認されにくくするために、複数の第１の画線（５）の画線間に近接して複数の第２の画線（６）を設ける。複数の第２の画線（６）は第１の領域（３）と第２の領域を可視光下で肉眼で区分けして視認されにくくするためのカモフラージュ画線の役割を果たす。詳細には、複数の第１の画線（５ａ）と複数の第１の画線（５ｂ）を可視光下で肉眼で区分けして視認されにくくするためのカモフラージュ画線の役割を果たす。複数の第２の画線（６）は、第２の領域（４）内の複数の第１の画線（５ｂ）の色相とは、異なる色相のインキで印刷する必要がある。
【００２０】
本発明の第１の画線（５）及び第２の画線（６）の形状、配置位置は図２に限定されることなく、図３に示すように第２の画線（６）は第１の画線（５）に対して隣接しても良い。ここで、上記記載の近接とは、第１の画線（５）と第２の画線（６）が互いに接することなく近くに形成されることであり、隣接とは、第１の画線（５）及び第２の画線（６）が互いに接していることを言う。
【００２１】
図２では、第１の領域（３）内の複数の第１の画線（５ａ）は、所定の赤外吸収特性を有するインキで印刷し、第２の領域（４）内の第１の画線（５ｂ）は、第１の領域（３）内の複数の第１の画線（５ａ）とは異なる色相及び赤外線吸収特性の異なるインキ（通常のインキで良い）で印刷しているが、第２の領域（４）内の第１の画線（５ｂ）は、赤外吸収特性を有するインキで印刷し、第１の領域（３）内の複数の第１の画線（５ａ）は、第２の領域（４）内の複数の第１の画線（５ｂ）とは異なる色相及び赤外線吸収特性の異なるインキ（通常のインキで良い）で印刷しても良い。また、図２では、第１の領域（３）内の複数の第１の画線（５ａ）の画線幅と第２の領域（４）内の第１の画線（５ｂ）の画線幅の関係は、第１の画線（５ａ）の画線幅の方が第１の画線（５ｂ）の画線幅より広くなっているが、第１の画線（５ａ）の画線幅と第１の画線（５ｂ）の画線幅は同じにしても良く、第１の画線（５ａ）の画線幅は第１の画線（５ｂ）の画線幅より狭くしても良い。
【００２２】
図２では、第１の画線（５）及び第２の画線（６）の画線の数が１：１の関係で形成しているが、本発明はこれに限定されることなく、第１の画線（５）及び第２の画線（６）の数が１：１〜１：３程度又は１：１〜３：１程度の関係で形成しても良い。つまり、第１の画線（５）の画線間に形成される第２の画線（６）の本数は複数本を形成することもでき、例えば、第２の画線（６）を第１の画線（５）の画線間Ｔ内に２本形成した例を図４（ａ）に示す。更に、第１の画線（５）と第２の画線（６）の数が２：１程度の関係で形成した例を図４（ｂ）に示す。ただし、好ましくは第１の画線（５）と第２の画線（６）の画線の本数は１：１が好ましい。上記記載の画線間とは、図２乃至図４の他に図１４に示すように複数の第１の画線（５ａ、５ｂ）と複数の第２の画線（６ａ、６ｂ）が交差した場合、第１の画線（Ｐ１）と第１の画線（Ｐ２）の画線間に第２の画線（Ｑ）があると考える。図１５（ａ）に示すように第１の画線（５ａ）と第１の画線（５ｂ）は中心となる基本線（Ｚ）を通っていても、図１５（ｂ）に示すように若干ずれていてもよい。同様に、図１５（ａ）に示すように第２の画線（６ａ）と第２の画線（６ｂ）は中心となる基本線（Ｚ）を通っていても、図１５（ｂ）に示すように若干ずれていてもよい。更に、図１６に示すように第１の領域（３）と第２の領域（４）の境である第１の画線（５ａ）と第１の画線（５ｂ）の境界（Ｆ）と、第２の画線（６ａ）と第２の画線（６ｂ）の境界（Ｆ）は図１６（ａ）に示すように接していても、図１６（ｂ）、（ｃ）に示すように離れていても良い。
【００２３】
次に、本発明の第１の領域（３）内の複数の第１の画線（５ａ）、第２の領域（４）内の複数の第１の画線（５ｂ）及び第２の画線（６）の好ましい色彩について図２を用いて説明する。第１の領域（３）内の複数の第１の画線（５ａ）は、赤外吸収特性を有するインキで印刷しているため、ほぼ無彩色のインキで印刷し、第２の領域（４）内の複数の第１の画線（５ｂ）は第１の画線（５ａ）とは赤外吸収特性が異なるインキ（通常のインキ）で、且つ、有彩色のインキで印刷され、複数の第２の画線（６）は、第２の領域（４）に形成される有彩色のインキの色相とほぼ補色関係にある色相のインキによって印刷されることが好ましい。本発明に使用する有彩色のインキとは色相のあるインキであれば特に限定されることはなく、本発明に使用する無彩色のインキとは白からグレー、黒までの色のことをいう。ただし、本発明は、無彩色のインキに多少の色彩があっても良い。
【００２４】
本発明のほぼ補色関係とは、２色の混色によりほぼ無彩色を表現可能な関係にある２色を、互いに補色としている。ここで言うほぼ補色関係とは、例えば、ある有彩色の色相角ともう一つの有彩色の色相角の差がＬ*ａ*ｂ*表色系で１６５°乃至１９５°の間にあるものを言う。つまり、第１の領域及び第２の領域における複数の第２の画線は、第２の領域の複数の第１の画線の有彩色のインキの色相と補色関係にある色相と色相角の差が１６５°乃至１９５°である色相のインキによって印刷することが好ましい。
【００２５】
上記記載の色彩で印刷した場合に、下記の要領で各画線幅を調整することは好ましい。第１の領域（３）内の複数の第１の画線（５ａ）と第１の領域（３）内の複数の第２の画線（６ａ）の各々の画線幅を調整し、第２の領域（４）内の複数の第１の画線（５ｂ）と第２の領域（４）内の複数の第２の画線（６ｂ）の各々の画線幅を調整し、第１の画線（５ａ）と第２の画線（６ａ）の合成（７ａ）の色彩と、第１の画線（５ｂ）と第２の画線（６ｂ）の合成（７ｂ）の色彩が肉眼でほぼ等色になるように調整することが好ましい。また、第１の領域（３）内の複数の第１の画線（５ａ）と第１の領域（３）内の複数の第２の画線（６ａ）の各々の画線濃度を調整し、第２の領域（４）内の複数の第１の画線（５ｂ）と第２の領域（４）内の複数の第２の画線（６ｂ）の各々の画線濃度を調整し、第１の画線（５ａ）と第２の画線（６ａ）の合成（７ａ）の色彩と、第１の画線（５ｂ）と第２の画線（６ｂ）の合成（７ｂ）の色彩が肉眼でほぼ等色になるように調整することもできる。よって、第１の領域（３）と第２の領域（４）が可視光下で肉眼で区分けして視認されにくくなる。ここで言う、ほぼ等色とは、第１の領域（３）と第２の領域（４）の色差ΔＥが分光測色計で６以下であることをいう。更に、好ましくは第１の領域（３）と第２の領域（４）の色差ΔＥが分光測色計で３以下である。第１の領域（３）内の複数の第１の画線（５ａ）の画線幅、第１の領域（３）内の複数の第２の画線（６ａ）の画線幅、第２の領域（４）内の複数の第１の画線（５ｂ）の画線幅、第２の領域（４）内の複数の第２の画線（６ｂ）の画線幅の調整は色彩に応じて各画線幅の調整は異なる。一例を図５に示す。
【００２６】
図５では、第１の領域（３）内の複数の第１の画線（５ａ）の画線幅は第２の領域（４）内の複数の第１の画線（５ｂ）の画線幅よりも広く、第１の領域（３）内の複数の第２の画線（６ａ）の画線幅は第２の領域（４）内の複数の第２の画線（６ｂ）の画線幅よりも広いが、第１の領域（３）内の複数の第１の画線（５ａ）の画線幅は第２の領域（４）内の複数の第１の画線（５ｂ）の画線幅よりも狭くしても良く、同様に、第１の領域（３）内の複数の第２の画線（６ａ）の画線幅は第２の領域（４）内の複数の第２の画線（６ｂ）の画線幅よりも狭くしても良い。また、第１の領域（３）内の複数の第１の画線（５ａ）の画線幅と第２の領域（４）内の複数の第１の画線（５ｂ）の画線幅は同一としても良く、第１の領域（３）内の複数の第２の画線（６ａ）の画線幅と第２の領域（４）内の複数の第２の画線（６ｂ）の画線幅を同一にしても良い。
【００２７】
例えば、第２の画線（６）をマゼンタ系インキで印刷した場合、第２の領域（４）内の複数の第１の画線（５ｂ）を緑系インキで印刷し、第１の領域（３）内の複数の第１の画線（５ａ）を無彩色インキで印刷する。第２の領域（４）内の複数の第２の画線（６ｂ）の画線幅を１００％とした場合、第２の領域（４）内の複数の第１の画線（５ｂ）の画線幅は４０％〜９０％が好ましい。この色相で印刷する場合、第１の領域（３）内の複数の第２の画線（６ｂ）の画線幅は４０〜９０％が好ましく、第１の領域（３）内の複数の第１の画線（５ａ）の画線幅は４０〜８０％が好ましい。第２の領域（４）内の複数の第２の画線（６ｂ）の画線幅は８０μｍから３００μｍ程度が好ましく、この画線幅に対して上記各々の画線（５ａ、５ｂ、６ａ）の割合の範囲で色彩に応じて各々の画線（５ａ、５ｂ、６ａ）の画線幅を調整する。このように画線幅を調整することによって、第１の領域と第２の領域が肉眼でほぼ等色に近づいて視認される。
【００２８】
本発明のほぼ等色とは、第１の領域の色彩と第２の領域色彩の色差ΔＥが分光測色計で６以下としている。但し、色差ΔＥが６以上ある場合は、可視光下で第１の領域と第２の領域が肉眼で区分けして視認しやすくなるが、その場合、万線模様上に図６に示すような直万線、曲万線、同心円万線又は彩紋模様等のカモフラージュ模様（１５）をオーバープリントすれば良い。更に、好ましくは第１の領域の色彩と第２の領域の色彩の色差ΔＥが分光測色計で３以下にすることによって、可視光下で第１の領域と第２の領域がより肉眼で区分けして視認しやすくなる。
【００２９】
上記記載のように第１の領域（３）内の複数の第１の画線（５ａ）と第１の領域（３）内の複数の第２の画線（６ａ）の各々の画線幅を調整し、第２の領域（４）内の複数の第１の画線（５ｂ）と第２の領域（４）内の複数の第２の画線（６ｂ）の各々の画線幅を調整し、第１の画線（５ａ）と第２の画線（６ａ）の合成（７ａ）の色彩と、第１の画線（５ｂ）と第２の画線（６ｂ）の合成（７ｂ）の色彩が肉眼でほぼ等色になるように調整することが好ましいため、様々な色彩、様々な画線幅で印刷したサンプルを用意し、画線（５ａ）と画線（６ａ）のペアとなる画線（５ａ、５ｂ）と、画線（５ｂ）と画線（６ｂ）のペアとなる画線（５ｂ、６ｂ）の画線同士がほぼ等色となる組み合わせを調査しておき、その組み合わせを基に画線幅を調整する。
【００３０】
また、ほぼ平坦なトーンを有する万線模様は、併置混色により色が決定されるため印刷順序による影響は無い。そのため、それぞれのインキの色を調査しておき、画線幅に応じた波長ごとの光の減衰量を求めておくことで、画線幅を変更した万線模様の色を推測することが可能であり、また、インキを２色使用した場合の光の減衰量を計算しておくことで、２色のインキのそれぞれの画線幅を変更した万線模様の色を推測することが可能である。
【００３１】
上記記載の各々の画線幅の調整によって、求めた各々の画線幅をデータベースに登録しておき、使用する色に応じて自動的に線の幅を調整することも可能である。
【００３２】
本実施の形態について述べる、通常可視光下では第１の領域と第２の領域がより肉眼で区分けして視認するためには、任意の有彩色インキ、赤外線吸収材料を含有した無彩色インキ、任意の有彩色インキとほぼ補色関係にある色相のインキを用いて各画線幅（５ａ、５ｂ、６ａ、６ｂ）を調整することが好ましい。これは、有彩色、有彩色とほぼ補色関係の色相、無彩色の３色を用いることによって、容易に色合わせができる。
【００３３】
本発明は、第１の領域（３）内の複数の第１の画線（５ａ）は、赤外吸収特性を有するインキで印刷し、第２の領域（４）内の第１の画線（５ｂ）は、第１の領域（３）内の複数の第１の画線（５ａ）とは異なる色相及び赤外線吸収特性の異なるインキ（通常のインキで良い）で印刷する場合に、第２の領域（４）内の第１の画線（５ｂ）は第１の画線（５ａ）とは色相及び赤外吸収特性が異なるインキ（通常のインキ）に蛍光顔料を含有したインキによって印刷することによって偽造防止効果が向上する。また、第２の領域（４）内の複数の第１の画線（５ｂ）は、赤外吸収特性を有するインキで印刷し、第１の領域（３）内の複数の第１の画線（５ａ）は第２の領域（３）内の複数の第１の画線（５ｂ）とは異なる色相及び赤外線吸収特性の異なるインキ（通常のインキで良い）で印刷する場合に、第１の領域（４）内の第１の画線（５ａ）は第１の画線（５ｂ）とは色相及び赤外吸収特性が異なるインキ（通常のインキ）に蛍光顔料を含有したインキによって印刷することによって偽造防止効果が向上する。
【００３４】
複数の第１の画線（５ａ）、複数の第１の画線（５ｂ）、複数の第２の画線（６ａ）、複数の第２の画線（６ｂ）の画線幅は、２０μｍから３００μｍであることが好ましい。画線幅が２０μｍより小さいと作成上困難となり、３００μｍ以上になると、第１の領域（３）と第２の領域（４）が、肉眼でほぼ等色に見えるようにならなくなる虞が生じる。
【００３５】
本実施の形態で述べる、万線模様を形成する複数の第１の画線（５）と複数の第２の画線（６）は直万線、曲万線、同心円万線及び彩紋模様等の少なくとも一つによって形成することが可能であり、更に図７に示すように複数の第１の画線（５ａ）、複数の第１の画線（５ｂ）、複数の第２の画線（６ａ）、複数の第２の画線（６ｂ）を実線８、破線９及び点線１０の一つから構成することもでき、特に複製、複写防止効果が向上し、また、濃度調整も行うことができる。更に、特許第３３６８３２７号公報、特許第３２６８４１８号公報記載の定周期断絶線、分岐した画線及びそれらに類似した画線を用いることができる。また、実線、破線、点線を微小文字、特殊パターンで形成することによって、複製、複写防止効果が向上する。複数の第１の画線（５）と複数の第２の画線（６）を曲万線又はジグザグ画線を用いて作製した場合、図１４に示すように複数の第１の画線（５ａ、５ｂ）と複数の第２の画線（６ａ、６ｂ）が交差しても良い。
【００３６】
複数の第１の画線（５ａ）と複数の第１の画線（５ｂ）の境界域（１２）は、各々の画線の中心線（１１）に対して略直角（１３）であることが好ましい。また、複数の第２の画線（６ａ）と複数の第２の画線（６ｂ）の境界域（１２）は、各々の画線の中心線（１１）に対して略直角（１３）であることが好ましい。図８に拡大図を示す。
【００３７】
本実施の形態で述べる赤外吸収特性を有するインキは、７３０ｎｍ以上〜１０００ｎｍ程度の波長の吸収特性を持っていればよく、カーボンブラック、スズ化合物、ロイコ染料等をインキに配合すれば良い。本発明に用いる蛍光顔料は紫外線を照射した場合、可視光で発光するものであれば、特に限定されることはない。
【００３８】
本実施の形態で述べる潜像画像部となる第１の領域又は第２の領域は、図柄、絵柄、文字、記号、バーコード等の情報を付与することができる。
【００３９】
本実施の形態で述べる基材は、紙葉類、フィルム、プラスチック等を利用することができる。
【００４０】
本実施の形態について述べる印刷は、通常の印刷機で印刷可能であり、更に、インクによるインクジェットプリンタ又はトナーによるレーザプリンタで印刷することも可能であり、この場合の各々の画線はＣＭＹＫの割合を調整して印刷を行う必要がある。よって、網点での印刷、セルでの印刷、ベタ印刷等が可能である。
【００４１】
本実施の形態について述べる潜像画像部となる第１の領域又は第２の領域を出現させる判別具又は判別装置は、紫外線ランプは通常市販されているハンディータイプのもの、同様にフィルタ、赤外線表示装置も通常市販されているもので十分潜像画像を視認することができる。
【００４２】
例えば、第１の領域（３）内の複数の第１の画線（５ａ）を無彩色の赤外吸収特性を有するインキで印刷し、第２の領域（４）内の複数の第１の画線（５ｂ）を蛍光顔料を含有した緑系インキで印刷し、第２の画線（６ａ、６ｂ）をマゼンタ系インキで印刷した印刷物Ｐの作用効果を図９乃至図１２に示す。
【００４３】
図９は印刷物Ｐを通常可視光下で肉眼で観察した場合の図である。通常可視光下で観察した場合、第１の領域（３）と第２の領域（４）が肉眼で区分けして視認しにくく、平坦なトーンを有する万線模様のみが視認される。これは、各画線幅が微細であること及び第２の画線（６ａ、６ｂ）の存在によってなされるものである。更に、第１の領域（３）内の複数の第１の画線（５ａ）と第１の領域（３）内の複数の第２の画線（６ａ）の各々の画線幅を調整し、第２の領域（４）内の複数の第１の画線（５ｂ）と第２の領域（４）内の複数の第２の画線（６ｂ）の各々の画線幅を調整し、第１の画線（５ａ）と第２の画線（６ａ）の合成７ａの色彩と、第１の画線（５ｂ）と第２の画線（６ｂ）の合成７ｂの色彩が肉眼でほぼ等色になるように調整すると、より第１の領域（３）と第２の領域（４）が肉眼で区分けして視認しにくくなる。この場合、各々画線幅が異なる場合があるが、その違いが微細であることから、第１の領域（３）と第２の領域（４）が区分けして視認し難い状況となる。
【００４４】
図１０（ａ）は、印刷物Ｐを赤外反射表示装置で観察した場合を示す図である。第１の領域（３）内の第１の画線（５ａ）は、赤外吸収特性を有するインキで印刷しているため、赤外吸収部として暗く視認でき、第２の領域（４）内の第１の画線（５ｂ）及び第２の画線（６ａ、６ｂ）は赤外吸収特性が異なるインキ（通常のインキ）で印刷しているため視認することができない。よって、第１の領域（３）内の第１の画線（５ａ）のみが視認され、文字Ｐが視認される。
【００４５】
また、第２の領域（４）内の複数の第１の画線（５ｂ）を無彩色の赤外吸収特性を有するインキで印刷し、第１の領域（３）内の複数の第１の画線（５ａ）を蛍光顔料を含有した緑系インキで印刷し、第２の画線（６ａ、６ｂ）をマゼンタ系インキで印刷した場合、第２の領域（４）内の第１の画線（５ｂ）は、赤外吸収特性を有するインキで印刷しているため、赤外吸収部として暗く視認でき、第１の領域（３）内の第１の画線（５ａ）及び第２の画線（６ａ、６ｂ）は赤外吸収特性が異なるインキ（通常のインキ）で印刷しているため視認することができない。よって、第１の領域（４）内の第１の画線（５ｂ）のみが視認され、文字Ｐが視認される。この場合、図１０（ｂ）で示すような文字Ｐが視認される。
【００４６】
図１１（ａ）は、印刷物Ｐを第２の領域（４）内の第１の画線（５ｂ）を印刷した有彩色のインキを透過する波長のフィルタを重ねて観察した場合の図である。印刷物Ｐを第２の領域（４）内の第１の画線（５ｂ）を印刷した有彩色のインキを透過する波長のフィルタを重ねて観察した場合、第１の画線（５ｂ）はフィルタに透過されるため、肉眼で視認できず、第１の領域（３）内の第１の画線（５ａ）及び第２の画線（６ａ、６ｂ）はフィルタに透過されることがないため視認される。よって、第１の領域（３）を形成する第１の画線（５ａ）と第２の画線（６ａ）と、第２の領域（４）を形成する第１の画線（５ｂ）と第２の画線（６ｂ）の視認される画線幅が異なり、よって、第１の画線（５ａ）で形成した文字Ｐが視認される。この場合、第１の画線（５ａ）は無彩色のインキで印刷され、第１の画線（５ｂ）は有彩色のインキで印刷され、第２の画線（６ａ、６ｂ）は第１の画線（５ｂ）を印刷する有彩色のインキとはほぼ補色関係にある色相のインキによって印刷しているため、上記フィルタを重ねた場合に第１の領域（３）が目立ちやすくなる。
【００４７】
また、第２の領域（４）内の複数の第１の画線（５ｂ）を無彩色の赤外吸収特性を有するインキで印刷し、第１の領域（３）内の複数の第１の画線（５ａ）を蛍光顔料を含有した緑系インキで印刷し、第２の画線（６ａ、６ｂ）をマゼンタ系インキで印刷した場合、第１の領域（３）内の第１の画線（５ａ）を印刷した有彩色のインキを透過する波長のフィルタを重ねて観察した場合、第１の画線（５ａ）はフィルタに透過されるため、肉眼で視認できず、第２の領域（４）内の第１の画線（５ｂ）及び第２の画線（６ａ、６ｂ）はフィルタに透過されることがないため視認される。よって、第１の領域（３）を形成する第１の画線（５ａ）と第２の画線（６ａ）と、第２の領域（４）を形成する第１の画線（５ｂ）と第２の画線（６ｂ）の視認される画線幅が異なり、よって、文字Ｐが視認される。
【００４８】
図１２（ａ）は印刷物Ｐに紫外線を照射して観察した場合の図である。このような印刷物Ｐに紫外線を照射して観察した場合、図１２（ａ）に示すように、第２の領域（４）を形成する第１の画線（５ｂ）は発光して肉眼で視認され、第１の画線（５ａ）及び第２の画線（６ａ、６ｂ）は発光されないため、第１の画線（５ｂ）で形成した文字Ｐが視認される。
【００４９】
また、第２の領域（４）内の複数の第１の画線（５ｂ）を無彩色の赤外吸収特性を有するインキで印刷し、第１の領域（３）内の複数の第１の画線（５ａ）を蛍光顔料を含有した緑系インキで印刷し、第２の画線（６ａ、６ｂ）をマゼンタ系インキで印刷した場合、第１の領域（３）を形成する第１の画線（５ａ）は発光して肉眼で視認され、第１の画線（５ｂ）及び第２の画線（６ａ、６ｂ）は発光されないため、第１の画線（５ａ）で形成した文字Ｐが視認される。この場合、図１２（ｂ）で示すような文字Ｐが視認される。
【００５０】
以下に、本発明の真偽判別可能な印刷物の版面作製方法について図面を用いて説明する。上記記載の第１の領域を背景画像部とし、第２の領域を潜像画像部として説明する。ただし、第１の領域を潜像画像部とし、第２の領域を背景画像部としても良い。
【実施例】
【００５１】
以下、実施例を用いて本発明を更に詳細に説明するが、本発明の内容は、これらの実施例の範囲に限定されるものではない。
【００５２】
（実施例１）
プロセス印刷用のマゼンタインキ、カーボンブラックを含む墨インキ、そしてマゼンタインキと補色関係にある緑色の特色インキ９０％に緑色に可視光で発光する無色透明な蛍光インキ（大日本インキ（株）製）を１０％配合したもの（以下、緑インキ）を用意し、マゼンタインキとカーボンブラックを含む墨インキのペアとなる画線の色彩とマゼンタインキと緑インキのペアとなる画線の色彩が、ほぼ同じ色調（トーン）になるように、マゼンタインキとカーボンブラックを含む墨インキの各画線幅を変更したペアとなる画線を作成し、同様にして、マゼンタインキと緑インキの各画線幅を変更したペアとなる画線を作成し、各画線幅を決定した。
【００５３】
ここでの補色は、グレタグ濃度計でDB=０．７１、DC=０．０１、DM=１．４０、DY=０．７５のマゼンタに対しては、DB=０．４９、DC=２．５２、DM=０．２６、DY=０．７２の緑とする。ここでの無彩色は、DB=２．６７、DC=２．７６、DM=２．７０、DY=２．６６の黒とする。実施例では記載していないが、例えば、マゼンタの変わりにイエローを用いた場合、グレタグ濃度でDB=−０．０６、DC=−０．０６、DM=−０．０３、DY=１．７８のイエローに対しては、DB=１．８３、DC=２．４０、DM=１．７９、DY=０．６４の青とする。
【００５４】
図１３に示すように万線模様を形成する第１の領域（３）内の複数の第１の画線（５ａ）にカーボンブラックを含む墨インキ、第１の領域（３）内の複数の第２の画線（６ａ）及び第２の領域（４）内の複数の第２の画線（６ｂ）にマゼンタインキ、第２の領域（４）内の複数の第１の画線（５ｂ）にマゼンタインキに対して補色関係にある緑色の特色インキ９０％に緑色に可視光で発光する無色透明な蛍光インキを用いて印刷した。
【００５５】
このときの各画線幅及び各非画線部は、図１３に示すように第１の領域（３）内の複数の第１の画線（５ａ）はピッチ幅Ｖ１を１０００μｍで画線幅５ａｗを１００μｍで形成し、第１の領域（３）内の複数の第２の画線（６ａ）はピッチ幅Ｖ２を１０００μｍで画線幅６ａｗを１００μｍで形成した。第１の領域（３）内の複数の第１の画線（５ａ）と第１の領域（３）内の複数の第２の画線（６ａ）の第１の非画線部Ｚ１の間隔を２００μｍとした。第２の領域（４）内の複数の第１の画線（５ｂ）はピッチ幅Ｖ３を１０００μｍで画線幅５ｂｗを８０μｍで形成し、第２の領域（４）内の複数の第２の画線（６ｂ）はピッチ幅Ｖ４を１０００μｍで画線幅６ｂｗを１６０μｍで形成した。第２の領域（４）内の複数の第１の画線（５ｂ）と第２の領域（４）内の複数の第２の画線（６ｂ）の第２の非画線部Ｚ２の間隔を１８０μｍとした。
【００５６】
作製された実施例１の印刷物を通常可視光下で観察した場合、第１の領域（３）と第２の領域（４）が肉眼で区分けして視認しにくく、平坦なトーンを有する万線模様のみが視認される。赤外線の反射で観察すると第１の領域（３）内の第１の画線（５ａ）に印刷されている墨インキ内のカーボンブラックが赤外線を吸収するので第１の画線（５ａ）が潜像画像として視認された。
【００５７】
実施例１の印刷物に紫外線を照射した場合、第１の画線（５ｂ）のみが可視光で発光し視認された。
【００５８】
実施例１の印刷物に緑色の光を透過するフィルタを用いて観察すると第１の画線（５ｂ）は透過され、視認できず、第１の画線（５ａ）と第２の画線（６ａ、６ｂ）が視認された。
【００５９】
（実施例２）
イラストレーター（アドビ社製）を用いて、互いに補色の関係にある色、桃色（PANTONE１７７）と水色（PANTONE３３３）の画線幅を変更した万線模様を作製した。同様にして、桃色（PANTONE１７７）と黒（５８％）の画線幅を変更した万線模様を作成した。上記各々の画線幅は、実施例１と同一の各々の画線幅を用いた。桃色（PANTONE１７７）と水色（PANTONE３３３）の万線模様と、桃色（PANTONE１７７）と黒（５８％）の万線模様がモニター上でほぼ同じトーンを有するものを目視により確認し、線の幅を決定した。第１の領域（３）内の複数の第１の画線（５ａ）にカーボンブラックを含む墨インキ、第２の領域（４）内の複数の第１の画線（５ｂ）に水色インキを用い、第１の領域（３）内の複数の第２の画線（６ａ）及び第２の領域（４）内の複数の第２の画線（６ｂ）に桃色インキを用い、出力用のデジタルデータを作成し、トナーで出力されるカラーレーザープリンタ及びインクジェットプリンタで出力した。
【００６０】
作製された実施例２の印刷物を通常可視光下で観察した場合、第１の領域（３）と第２の領域（４）が肉眼で区分けして視認しにくく、平坦なトーンを有する万線模様のみが視認される。赤外線の反射で観察すると第１の領域（３）内の第１の画線（５ａ）に印刷されている墨インキ内のカーボンブラックが赤外線を吸収するので第１の画線（５ａ）が潜像画像として視認された。
【００６１】
実施例２の印刷物に水色の光を透過するフィルタを用いて観察すると第１の画線（５ｂ）は透過され、視認できず、第１の画線（５ａ）と第２の画線（６ａ、６ｂ）が視認された。
【００６２】
以上、本発明の実施例に基づいて説明したが、本発明はこの実施例に限定されるものではなく、特許請求の範囲記載における技術的思想の範囲内であれば、その他のいろいろな実施の形態が考えられる。
【図面の簡単な説明】
【００６３】
【図１】基材（１）に複数の第１の画線（５）からなる万線模様を示す図である。
【図２】本実施の形態の印刷物を示す図である。
【図３】第１の画線（５）に隣接して第２の画線（６）を設けた場合の図である。
【図４】第１の画線（５）と第２の画線（６）の画線数の関係が１：１〜１：３程度又は１：１〜３：１程度の関係で形成した場合の図である。
【図５】第１の領域（３）内の複数の第１の画線（５ａ）と第１の領域（３）内の複数の第２の画線（６ａ）の各々の画線幅を調整し、第２の領域（４）内の複数の第１の画線（５ｂ）と第２の領域（４）内の複数の第２の画線（６ｂ）の各々の画線幅を調整した一例を示す図である。
【図６】万線模様上に彩紋模様等のカモフラージュ模様（１５）をオーバープリントした場合の図である。
【図７】複数の第１の画線（５ａ）、複数の第１の画線（５ｂ）、複数の第２の画線（６ａ）、複数の第２の画線（６ｂ）を実線８、破線９及び点線１０の一つから構成した場合の図である。
【図８】複数の第１の画線（５ａ）と複数の第１の画線（５ｂ）、複数の第２の画線（６ａ）と複数の第２の画線（６ｂ）の境界域１２の説明図である。
【図９】印刷物を通常可視光下で肉眼で観察した場合の図である。
【図１０】印刷物を赤外反射表示装置で観察した場合を示す図である。
【図１１】印刷物に対して有彩色のインキを透過する波長のフィルタを重ねて観察した場合の図である。
【図１２】印刷物に対して紫外線を照射して可視光下で観察した場合の図である。
【図１３】実施例１の印刷物である。
【図１４】複数の第１の画線（５ａ、５ｂ）と複数の第２の画線（６ａ、６ｂ）が交差している例を示す図である。
【図１５】第１の画線（５ａ）と第１の画線（５ｂ）の関係及び第２の画線（６ａ）と第２の画線（６ｂ）の関係を示す図である。
【図１６】第１の領域（３）と第２の領域（４）の境である第１の画線（５ａ）と第１の画線（５ｂ）の境界（Ｆ）と、第２の画線（６ａ）と第２の画線（６ｂ）の境界（Ｆ）の関係を示す図である。
【符号の説明】
【００６４】
１          基材
３          第１の領域
４          第２の領域
５、５ａ、５ｂ          複数の第１の画線
６、６ａ、６ｂ          複数の第２の画線
７ａ          第１の画線（５ａ）と第２の画線（６ａ）の合成
７ｂ          第１の画線（５ｂ）と第２の画線（６ｂ）の合成
８          実線
９          破線
１０          点線
１１          中心線
１２          境界域
１３          略直角
１５          カモフラージュ模様
Ｖ１、Ｖ２、Ｖ３、Ｖ４          ピッチ幅
５ａｗ、５ｂｗ、６ａｗ、６ｂｗ          画線幅
Ｚ１、Ｚ２          非画線部
Ｆ          境界
Ｚ          基本線
【図１】
2005153398.tif 000003
【図２】
2005153398.tif 000004
【図３】
2005153398.tif 000005
【図４】
2005153398.tif 000006
【図５】
2005153398.tif 000007
【図６】
2005153398.tif 000008
【図７】
2005153398.tif 000009
【図８】
2005153398.tif 000010
【図９】
2005153398.tif 000011
【図１０】
2005153398.tif 000012
【図１１】
2005153398.tif 000013
【図１２】
2005153398.tif 000014
【図１３】
2005153398.tif 000015
【図１４】
2005153398.tif 000016
【図１５】
2005153398.tif 000017
【図１６】
2005153398.tif 000018